(57)【要約】【課題】監視領域の開閉口の施錠状態の異常を詳しく把握できかつその異常を迅速に報知することができる警備装置及び異常報知方法を提供する。【解決手段】監視領域における異常を検知する警備装置において、前記監視領域の開閉口付近に設けられ、前記開閉口の施錠状態を検知する第１のセンサまたは前記監視領域の開閉口付近に設けられ、前記開閉口の開閉状態を検知する第２のセンサから検知信号を受信する検知受信手段と、前記検知受信手段が受信した前記第１のセンサからの前記検知信号または前記第２のセンサからの前記検知信号に基づいて、前記開閉口の施錠状態および前記開閉口の開閉状態を判定するセンサ判定手段と、前記センサ判定手段が、前記開閉口が解錠状態かつ閉状態、または前記開閉口が施錠状態かつ開状態であると判定した場合に、前記監視領域に警告を報知する警告報知手段と、を備える。【選択図】        図１
2009163396.tif 000002
【特許請求の範囲】
【請求項１】
監視領域における異常を検知する警備装置において、
前記監視領域の開閉口付近に設けられ、前記開閉口の施錠状態を検知する第１のセンサまたは前記監視領域の開閉口付近に設けられ、前記開閉口の開閉状態を検知する第２のセンサから検知信号を受信する検知受信手段と、
前記検知受信手段が受信した前記第１のセンサからの前記検知信号または前記第２のセンサからの前記検知信号に基づいて、前記開閉口の施錠状態および前記開閉口の開閉状態を判定するセンサ判定手段と、
前記センサ判定手段が、前記開閉口が解錠状態かつ閉状態、または前記開閉口が施錠状態かつ開状態であると判定した場合に、前記監視領域に警告を報知する警告報知手段と、
を備えることを特徴とする警備装置。
【請求項２】
前記検知受信手段が前記第１のセンサまたは前記第２のセンサからの前記検知信号を受信した時点からの所定の第１時間を計時する第１の計時手段と、をさらに備え、
前記警告報知手段は、前記センサ判定手段が、前記開閉口が解錠状態かつ閉状態、または前記開閉口が施錠状態かつ開状態であると判定した場合であって、前記第１時間を経過した場合に、前記監視領域に警告を報知すること、
を特徴とする請求項１に記載の警備装置。
【請求項３】
前記警告報知手段は、前記センサ判定手段が前記開閉口が解錠状態かつ閉状態であると判定した場合には、前記開閉口に施錠がなされていない旨の警告を報知し、前記センサ判定手段が前記開閉口が施錠状態かつ開状態であると判定した場合には、前記開閉口の施錠が異常である旨の警告を報知すること、
を特徴とする請求項１または２に記載の警備装置。
【請求項４】
前記警告報知手段が報知した警告を停止する操作を受け付ける操作入力受付手段と、
前記操作入力受付手段が、前記警告を停止する操作を受け付けた時点からの第２時間を計時する第２の計時手段と、をさらに備え、
前記警告報知手段は、前記操作入力受付手段が前記警告を停止する操作を受け付けた場合であっても、前記第２時間を経過した場合には、前記監視領域に前記警告を報知すること、
を特徴とする請求項１〜３のいずれか１項に記載の警備装置。
【請求項５】
前記監視領域における警備を可能にして監視センタに通報する状態を示す警備状態と、前記監視区域の警備を解除して前記監視センタに通報しない状態を示す警備解除状態と、を含む前記監視領域の警備モードの切り替えを行う警備モード切替手段と、
現在の警備モードが前記警備状態であり、かつ前記センサ判定手段が前記開閉口が解錠状態または前記開閉口が開状態のいずれかであると判定した場合に、監視センタに警報を送信する異常通報手段と、をさらに備えること、
を特徴とする請求項１〜４のいずれか１項に記載の警備装置。
【請求項６】
監視領域における異常を検知する警備装置において実行される異常通報方法において、
検知受信手段が、前記監視領域の開閉口付近に設けられ、前記開閉口の施錠状態を検知する第１のセンサまたは前記監視領域の開閉口付近に設けられ、前記開閉口の開閉状態を検知する第２のセンサから検知信号を受信する検知受信ステップと、
センサ判定手段が、前記検知受信手段が受信した前記第１のセンサからの前記検知信号または前記第２のセンサからの前記検知信号に基づいて、前記開閉口の施錠状態および前記開閉口の開閉状態を判定するセンサ判定ステップと、
警告報知手段が、前記センサ判定手段が、前記開閉口が解錠状態かつ閉状態、または前記開閉口が施錠状態かつ開状態であると判定した場合に、前記監視領域に警告を報知する警告報知ステップと、
を含むことを特徴とする異常報知方法。
【請求項７】
監視領域における異常を検知し、前記監視領域における警備を可能にして監視センタに通報する状態を示す警備状態と、前記監視区域の警備を解除して前記監視センタに通報しない状態を示す警備解除状態と、を含む前記監視領域の警備モードの切り替えを行う警備モード切替手段と、を備える警備装置で実行される異常通報方法において、
異常通報手段が、現在の警備モードが前記警備状態であり、かつ前記センサ判定手段が前記開閉口が解錠状態または前記開閉口が開状態のいずれかであると判定した場合に、監視センタに警報を送信する異常通報ステップと、をさら含むこと、
を特徴とする請求項６に記載の異常報知方法。
【発明の詳細な説明】
【技術分野】
【０００１】
本発明は、監視領域の開閉口の異常を検知して監視センタに通報する警備装置及び異常報知方法に関する。
【背景技術】
【０００２】
近年の警備装置においては、警備領域内の窓や扉といった開閉口に対して施錠がなされているか、またはその開閉口の状態（開状態、または閉状態）を、その開閉口付近に設置されたセンサが検知し、その検知信号を警備装置が受信すると、スピーカ等を通じて家人に対して窓や扉が開いている状態であることを報知することが行われている。このような報知によって、家人は外出の際、あるいは在宅の場合でも窓や扉の閉め忘れ等を防止できる。
【０００３】
例えば、特許文献１には、クレセント錠に対する施錠・解錠操作がなされたことに応じて検知信号を送出し、その検知信号の種類によってクレセント錠が施錠・解錠のいずれの状態であるかを検知することができ、家人は開閉口が未施錠であることを早期に発見できる技術が開示されている。
【０００４】
また、例えば、特許文献２には、クレセント錠等のメインロックに補助ロックを設けた施錠構造において、メインロックと補助ロックの施錠状態を検知し、家人が室内から各ロックの施錠状態を視認でき、各ロックの締め忘れ等を防止できる技術が開示されている。
【０００５】
【特許文献１】実用新案登録第２５２１７５１号公報
【特許文献２】特開２００７−１４６６３７号公報
【発明の開示】
【発明が解決しようとする課題】
【０００６】
しかしながら、特許文献１および特許文献２に記載された技術では、単にクレセント錠等のロックの施錠状態を検知して、家人に対して施錠されていない旨あるいは施錠されている旨を知らせるだけであり、ロックが解錠状態ではあるが窓や扉は閉まっている状態や、ロックが施錠状態ではあるが窓や扉は開いている状態（いわゆる、空打ち状態）については、事実上の施錠がなされていないにもかかわらず、そのような異常等を報知する手段がなく、不審者が家屋内に侵入し、家人に対して危険が及んでしまう恐れがあるという問題があった。
【０００７】
本発明は、上記に鑑みてなされたものであって、監視領域の開閉口の施錠状態の異常を詳しく把握できかつその異常を迅速に報知することができる警備装置及び異常報知方法を提供することを目的とする。
【課題を解決するための手段】
【０００８】
上述した課題を解決し、目的を達成するために、請求項１にかかる発明は、監視領域における異常を検知する警備装置において、前記監視領域の開閉口付近に設けられ、前記開閉口の施錠状態を検知する第１のセンサまたは前記監視領域の開閉口付近に設けられ、前記開閉口の開閉状態を検知する第２のセンサから検知信号を受信する検知受信手段と、前記検知受信手段が受信した前記第１のセンサからの前記検知信号または前記第２のセンサからの前記検知信号に基づいて、前記開閉口の施錠状態および前記開閉口の開閉状態を判定するセンサ判定手段と、前記センサ判定手段が、前記開閉口が解錠状態かつ閉状態、または前記開閉口が施錠状態かつ開状態であると判定した場合に、前記監視領域に警告を報知する警告報知手段と、を備えることを特徴とする。
【０００９】
また、請求項２にかかる発明は、請求項１に記載の警備装置において、前記検知受信手段が前記第１のセンサまたは前記第２のセンサからの前記検知信号を受信した時点からの所定の第１時間を計時する第１の計時手段と、をさらに備え、前記警告報知手段は、前記センサ判定手段が、前記開閉口が解錠状態かつ閉状態、または前記開閉口が施錠状態かつ開状態であると判定した場合であって、前記第１時間を経過した場合に、前記監視領域に警告を報知すること、を特徴とする。
【００１０】
また、請求項３にかかる発明は、請求項１または２に記載の警備装置において、前記警告報知手段は、前記センサ判定手段が前記開閉口が解錠状態かつ閉状態であると判定した場合には、前記開閉口に施錠がなされていない旨の警告を報知し、前記センサ判定手段が前記開閉口が施錠状態かつ開状態であると判定した場合には、前記開閉口の施錠が異常である旨の警告を報知すること、を特徴とする。
【００１１】
また、請求項４にかかる発明は、請求項１〜３のいずれか１項に記載の警備装置において、前記警告報知手段が報知した警告を停止する操作を受け付ける操作入力受付手段と、前記操作入力受付手段が、前記警告を停止する操作を受け付けた時点からの第２時間を計時する第２の計時手段と、をさらに備え、前記警告報知手段は、前記操作入力受付手段が前記警告を停止する操作を受け付けた場合であっても、前記第２時間を経過した場合には、前記監視領域に前記警告を報知すること、を特徴とする。
【００１２】
また、請求項５にかかる発明は、請求項１〜４のいずれか１項に記載の警備装置において、前記監視領域における警備を可能にして監視センタに通報する状態を示す警備状態と、前記監視区域の警備を解除して前記監視センタに通報しない状態を示す警備解除状態と、を含む前記監視領域の警備モードの切り替えを行う警備モード切替手段と、現在の警備モードが前記警備状態であり、かつ前記センサ判定手段が前記開閉口が解錠状態または前記開閉口が開状態のいずれかであると判定した場合に、監視センタに警報を送信する異常通報手段と、をさらに備えること、を特徴とする。
【００１３】
また、請求項６にかかる発明は、監視領域における異常を検知する警備装置において実行される異常通報方法において、検知受信手段が、前記監視領域の開閉口付近に設けられ、前記開閉口の施錠状態を検知する第１のセンサまたは前記監視領域の開閉口付近に設けられ、前記開閉口の開閉状態を検知する第２のセンサから検知信号を受信する検知受信ステップと、センサ判定手段が、前記検知受信手段が受信した前記第１のセンサからの前記検知信号または前記第２のセンサからの前記検知信号に基づいて、前記開閉口の施錠状態および前記開閉口の開閉状態を判定するセンサ判定ステップと、警告報知手段が、前記センサ判定手段が、前記開閉口が解錠状態かつ閉状態、または前記開閉口が施錠状態かつ開状態であると判定した場合に、前記監視領域に警告を報知する警告報知ステップと、を含むことを特徴とする。
【００１４】
また、請求項７にかかる発明は、請求項６に記載の異常報知方法において、監視領域における異常を検知し、前記監視領域における警備を可能にして監視センタに通報する状態を示す警備状態と、前記監視区域の警備を解除して前記監視センタに通報しない状態を示す警備解除状態と、を含む前記監視領域の警備モードの切り替えを行う警備モード切替手段と、を備える警備装置で実行される異常通報方法において、異常通報手段が、現在の警備モードが前記警備状態であり、かつ前記センサ判定手段が前記開閉口が解錠状態または前記開閉口が開状態のいずれかであると判定した場合に、監視センタに警報を送信する異常通報ステップと、をさら含むこと、を特徴とする。
【発明の効果】
【００１５】
請求項１にかかる発明によれば、検知受信手段が、開閉口の施錠状態を検知する第１のセンサまたは前記開閉口の開閉状態を検知する第２のセンサから検知信号を受信し、センサ判定手段が、前記検知受信手段が受信した前記第１のセンサからの前記検知信号または前記第２のセンサからの前記検知信号に基づいて、前記開閉口の施錠状態および前記開閉口の開閉状態を判定し、警告報知手段が、前記センサ判定手段が前記開閉口が解錠状態かつ閉状態、または前記開閉口が施錠状態かつ開状態であると判定した場合に、監視領域に警告を報知するので、開閉口の開閉状態および開閉口の施錠状態のいずれかに異常が生じている場合にも、家人は開閉口の状態の異常を詳しくかつ迅速に把握でき、警備の質を向上させることができるという効果を奏する。
【００１６】
請求項２にかかる発明によれば、請求項１に記載の警備装置において、第１の計時手段が、前記検知受信手段が前記第１のセンサまたは前記第２のセンサからの前記検知信号を受信した時点からの第１時間を計時し、前記警告報知手段は、前記センサ判定手段が、前記開閉口が解錠状態かつ閉状態、または前記開閉口が施錠状態かつ開状態であると判定した場合であって、前記第１時間を経過した場合に、前記監視領域に警告を報知するので、開閉口の開閉状態および開閉口の施錠状態のいずれかに異常が生じている場合にも、家人は開閉口の状態の異常をより詳しくかつ迅速に把握でき、警備の質をさらに向上させることができるという効果を奏する。
【００１７】
請求項３にかかる発明によれば、請求項１または２に記載の警備装置において、前記警告報知手段は、前記センサ判定手段が前記開閉口が解錠状態かつ閉状態であると判定した場合には、前記開閉口に施錠がなされていない旨の警告を報知し、前記センサ判定手段が前記開閉口が施錠状態かつ開状態であると判定した場合には、前記開閉口の施錠が異常である旨の警告を報知するので、開閉口の開閉状態および開閉口の施錠状態に応じて開閉口の異常を報知できるので、家人はその異常を容易に認識できるという効果を奏する。
【００１８】
請求項４にかかる発明によれば、請求項１〜３のいずれか１項に記載の警備装置において、操作入力受付手段が、前記警告報知手段が促した前記警告を停止する操作を受け付け、第２の計時手段が、前記操作入力受付手段が前記警告を停止する操作を受け付けた時点からの第２時間を計時し、前記警告報知手段は、前記操作入力受付手段が前記警告を停止する操作を受け付けた場合であっても、前記第２時間を経過した場合には、前記監視領域に前記警告を報知するので、家人が施錠忘れや施錠異常への対応を行わなかった場合であっても、開閉口の開閉状態および開閉口の施錠状態に応じて開閉口の異常を報知でき、家人はその異常への対応を忘れずに行うことができるという効果を奏する。
【００１９】
請求項５にかかる発明によれば、請求項１〜４のいずれか１項に記載の警備装置において、警備モード切替手段が、前記監視領域における警備を可能にして監視センタに通報する状態を示す警備状態と、前記監視区域の警備を解除して前記監視センタに通報しない状態を示す警備解除状態と、を含む前記監視領域の警備モードの切り替えを行い、異常通報手段が、現在の警備モードが前記警備状態であり、かつ前記センサ判定手段が前記開閉口が解錠状態または前記開閉口が開状態のいずれかであると判定した場合に、監視センタに警報を送信するので、警備モードが警備状態の場合に開閉口の開閉状態および開閉口の施錠状態のいずれかに異常が生じている場合にも、その異常が侵入者によるものであるとして監視センタに対して迅速に通報でき、警備の質を向上させることができるという効果を奏する。
【発明を実施するための最良の形態】
【００２０】
以下に添付図面を参照して、この発明にかかる警備装置および異常報知方法の最良な実施の形態を詳細に説明する。
【００２１】
（実施の形態１）
図１は、実施の形態１の警備装置１００の機能的構成を示すブロック図である。警備装置１００は、図１に示すように、本体部２１０とコントローラ２３０とを備えており、ネットワーク２８０を介して監視センタ２９０に接続されている。また、本体部２１０は、監視領域に設置されたセンサ２０３ａ、２０３ｂと有線または無線で接続されている。
【００２２】
センサ２０３ａは、家屋全体の各部屋や玄関、廊下等の監視領域の開閉口（例えば、玄関の扉や部屋の窓等）に設置され、これと同じく開閉口に設置されている扉や窓等のロック装置（例えば、クレセント錠やシリンダー錠等）が施錠状態であるか解錠状態であるかを検知する施錠センサである。センサ２０３ａは、ロック装置が施錠状態または解錠状態となった場合に、その検知信号を警備装置１００に送信する。より具体的には、センサ２０３ａは、扉や窓に設置されたロック装置が施錠状態となった場合には、警備装置１００に、施錠状態（Locked）であることを示す検知信号「Ｌ」（以下、施錠検知信号と呼ぶ。）を送信し、一方、ロック装置が解錠状態となった場合には、解錠状態（Released）であることを示す検知信号「Ｒ」（以下、解錠検知信号と呼ぶ。）を送信する。
【００２３】
また、センサ２０３ｂは、家屋全体の各部屋や玄関、廊下等の監視領域の開閉口付近（例えば、玄関の扉や部屋の扉枠や窓枠等）に設置され、扉や窓が開状態であるか、または閉状態であるかをマグネット等によって検知する開閉センサである。センサ２０３ｂは、扉や窓等が開状態または閉状態になった場合に、その検知信号を警備装置１００に送信する。より具体的には、センサ２０３ｂは、扉や窓が閉状態となった場合には、警備装置１００に、閉状態であることを示す検知信号「１」（以下、閉検知信号と呼ぶ。）を送信し、一方、扉や窓が開状態となった場合には、開状態であることを示す検知信号「０」（以下、開検知信号と呼ぶ。）を送信する。
【００２４】
警備装置１００のコントローラ２３０は、警備装置１００の一部をなすものであるが、リビングや廊下の壁など警備装置１００の本体部２１０とは別個に設置されており、警備装置１００の本体の入出力制御部２１１に有線または無線で接続されている。
【００２５】
コントローラ２３０は、操作表示部２３１と、マイク２３２と、スピーカ２３３とを備えている。操作表示部２３１は、住人に対して各種画面の表示を行う。また、操作表示部２３１は、住人からの警備モードを切替える操作（切替操作）等を受け付けて、受け付けた切替操作後の警備モード（警備状態、警備解除状態、在宅警備状態、および在宅警備帰宅待ち状態）を示す切替信号を警備装置１００の本体部の入出力制御部２１１に送出する。操作表示部２３１は、例えばタッチ入力式の液晶画面等が該当する。上述した各種の警備モードの具体的な内容については後述する。また、操作表示部２３１は、後述する警告音声報知部２１９がスピーカ２３３から報知される家人に対する施錠異常の音声を停止する操作の入力を受け付ける。
【００２６】
本体部２１０は、通信制御部２０６と、入出力制御部２１１と、警備モード記憶部２１２と、状態記憶部２１３と、警備モード切替部２１４と、施錠忘れ監視タイマー２１５と、施錠異常監視タイマー２１６と、異常通報部２１７と、メッセージタイマー２１８と、警告音声報知部２１９と、センサ判定部２２０と、検知受信部２２１と、を主に備えている。
【００２７】
通信制御部２０６は、警備装置１００とネットワーク２８０との間における通信を制御するものであり、具体的にはネットワークボードなどが該当する。
【００２８】
入出力制御部２１１は、コントローラ２３０（操作表示部２３１、マイク２３２、スピーカ２３３）の入出力制御、センサ２０３ａ、２０３ｂの入力制御により種々のデータの入出力を制御する処理部である。
【００２９】
警備モード記憶部２１２は、各種警備モード、および監視領域における現在の警備モードを記憶するメモリなどの記憶媒体である。すなわち、警備モード記憶部２１２には、現在の警備モードが記憶されていることになる。
【００３０】
ここで、警備モードとは、監視領域において異常検知した際の通報先への通報の可否、または監視領域内に対する報知の可否などを定めたモードであり、異常を検知したときの警備装置１００の動作を決定するモードである。警備モードは、通報の可否および通報先、監視領域への報知の有無などによって複数のモードが存在する。代表的な警備モードとしては、警備状態、在宅警備状態、警備解除状態等の警備モードが存在し、コントローラ２３０又はサブコントローラ２３０（コントローラは複数設定することも可能）における操作により、監視領域の警備モードを設定するようにしている。
【００３１】
まず、警備状態とは、主に住人が外出中、警備を必要とする場合に設定する警備モードであり、センサ２０３ａまたは２０３ｂによって異常を検知したときに発せられる検知信号を警備装置１００が受信した場合に、異常を知らせる警報を監視センタ２９０に通報する状態である。なお、監視領域において異常を検知したことをスピーカ２３３に報知する場合もある。これは、侵入者を威嚇する目的や誤報である場合に警報解除操作を促す目的で報知するものである。
【００３２】
在宅警備状態とは、主に住人が在宅中、警備を必要とする場合に設定する警備モードであり、家庭内の一部の部屋を監視領域とした場合において、センサ２０３ａまたは２０３ｂによって当該監視領域内で異常を検知したときに発せられる検知信号を警備装置１００が受信した場合に、監視領域において異常を検知したことをスピーカ２３３等で報知する状態である。なお、監視領域だけではなく監視センタに異常を知らせる警報を報知する場合もある。これは、在宅時においても監視センタへの通報を行う契約を結んだ場合であり、監視領域において異常を検知したことを報知した後に、監視センタに通報を行うなどの動作をする。
【００３３】
警備解除状態とは、主に住人が在宅中、警備を必要としない場合に設定する警備モードであり、センサ２０３ａまたは２０３ｂによって異常を検知したときに発せられる検知信号を警備装置１００が受信した場合でも、監視センタへの警報の通報、監視領域における異常の検知、通報先端末への異常の通報のいずれも行わない状態である。これは、センサにより異常が検知（人の存在の検知、扉の開閉の検知）されても、在宅中の住人を検知したものと判断するためである。
【００３４】
なお、検知された異常が火災やガス漏れの場合、または、非常ボタンが操作された場合は、前記いずれの警備モードであるかによらず、監視センタへの通報、各エリアへの異常が検知された旨の報知などを行う。
【００３５】
状態記憶部２１３は、センサ２０３ａまたはセンサ２０３ｂからの検知信号を記憶する。具体的には、センサ２０３ａからの検知信号（すなわち、施錠検知信号「Ｌ」または解錠検知信号「Ｒ」）と、センサ２０３ｂからの検知信号（すなわち、閉検知信号「１」または開検知信号「０」）を記憶するメモリ等の記憶媒体である。状態記憶部２１３には、後述する検知受信部２２１が、上述した検知信号を受信する都度、後述するセンサ判定部２２０によって、その値が書き込まれる。すなわち、状態記憶部２１３には、現在のロック装置の施錠状態・解錠状態および扉や窓の開状態・閉状態が記憶されている。
【００３６】
警備モード切替部２１４は、コントローラ２３０から入出力制御部２１１を介して切替信号を受け取り、受取った切替信号（すなわち、切り替え操作により指定された警備モード）に従って、警備モード記憶部２１２に、切り替え後の警備モードを記憶させることにより、現在の監視領域における警備モードの切替えを行うものである。
【００３７】
施錠忘れ監視タイマー２１５は、後述する検知受信部２２１がセンサ２０３ａからの解錠検知信号「Ｒ」を受信した時刻から、検知受信部２２１がセンサ２０３ｂからの開検知信号「０」を受信するまでの経過時間を計時する。
【００３８】
すなわち、施錠忘れ監視タイマー２１５は、監視領域内の開閉口（扉や窓等）に設置されたロック装置が施錠され、かつその扉や窓が閉められた状態である場合であって、ロック装置が解錠された時刻から、扉や窓等が開けられた時刻までの経過時間を計時する。尚、施錠忘れ監視タイマー２１５は、あらかじめセンサ２０３ａまたはセンサ２０３ｂから検知信号を受信した時刻から、センサ２０３ｂまたはセンサ２０３ａからの検知信号を受信した時刻までの時間の許容範囲を示す時間（以下、忘れ経過設定時間と呼ぶ。）を記憶している。
【００３９】
施錠異常監視タイマー２１６は、後述する検知受信部２２１がセンサ２０３ｂからの閉検知信号「１」を受信せずに、検知受信部２２１がセンサ２０３ａからの施錠検知信号「Ｌ」を受信した時刻から、センサ２０３ａからの解錠検知信号「Ｒ」を受信するまでの経過時間を計時する。
【００４０】
すなわち、施錠異常監視タイマー２１６は、監視領域内の開閉口（扉や窓等）に設置されたロック装置が解錠され、かつその扉や窓が開けられた状態である場合であって、ロック装置が施錠された時刻から、扉や窓等が閉められる時刻までの経過時間を計時する。尚、施錠忘れ監視タイマー２１５は、あらかじめセンサ２０３ａまたはセンサ２０３ｂから検知信号を受信した時刻から、センサ２０３ｂまたはセンサ２０３ａからの検知信号を受信した時刻までの時間の許容範囲を示す時間（以下、異常経過設定時間と呼ぶ。）を記憶している。
【００４１】
異常通報部２１７は、監視領域の警備モードが警備状態であるときに、センサ２０３ａ、２０３ｂによって監視領域の開閉口付近に設置されたロック装置が解錠状態または扉や窓等が開けられた状態になった場合に、監視センタへ異常を検知した旨の通報を行なうものである。
【００４２】
メッセージタイマー２１８は、後述する警告音声報知部２１９が、スピーカ２３３から家人に対して施錠忘れであることを示す警告音声を報知した後、操作表示部２３１を介してその警告音声が停止された時刻から、後述する検知受信部２２１がセンサ２０３ａまたはセンサ２０３ｂからの検知信号を受信するまでの経過時間を計時する。
【００４３】
すなわち、メッセージタイマー２１８は、監視領域内の開閉口（扉や窓等）に設置されたロック装置が解錠され、かつその扉や窓が閉められた状態である場合、またはロック装置が施錠され、かつその扉や窓が開けられた状態である場合であって、これらの状態から、ロック装置が解錠され、かつその扉や窓が開けられた状態、あるいはロック装置が施錠され、かつその扉や窓が閉められた状態のいずれかの状態になるまでの経過時間を計時する。尚、メッセージタイマー２１８は、警告音声が報知された時刻から、センサ２０３ａまたはセンサ２０３ｂからの検知信号を受信した時刻までの時間の許容範囲を示す時間（以下、警告経過設定時間と呼ぶ。）を記憶している。
【００４４】
警告音声報知部２１９は、後述するセンサ判定部２２０が、状態記憶部２１３を参照して、検知受信部２２１がセンサ２０３ａからの施錠検知信号「Ｌ」を受信しているが、センサ２０３ｂからの閉検知信号「１」を受信していないと判定した場合、または検知受信部２２１がセンサ２０３ａからの解錠検知信号「Ｒ」を受信しているが、センサ２０３ｂからの開検知信号「０」を受信していないと判定した場合に、家人に対して「正しく施錠がなされていません。」「施錠忘れがあります。」等の警告メッセージをスピーカ２３３から報知させる。すなわち、監視領域の開閉口に設置されたロック装置が施錠されかつ扉や窓が開けられた状態、あるいはロック装置が解錠されかつ扉や窓が閉じられた状態には上述した警告メッセージが家人に対して報知される。
【００４５】
また、警告音声報知部２１９は、上述したような正しく施錠がなされていない、あるいは施錠忘れがある場合であっても、後述するセンサ判定部２２０が、上述した各タイマーに記憶される経過設定時間（忘れ経過設定時間、異常経過設定時間、警告経過設定時間）内に、後述する検知受信部２２１がセンサ２０３ａやセンサ２０３ｂからの検知信号を受信し、ロック装置が施錠されかつ扉や窓が閉じられた状態、あるいはロック装置が解錠されかつ扉や窓が開けられた状態と判定した場合には、スピーカ２３３からの上述した警告メッセージの報知を停止させる。
【００４６】
また、警告音声報知部２１９は、警告メッセージが報知されている場合において、コントローラ２３０に備えられた操作表示部２３１からの警告メッセージの停止操作の入力が受け付けられたか否かを判定し、警告メッセージの停止操作が受け付けられたと判定した場合には、報知している警告メッセージを停止させる。
【００４７】
センサ判定部２２０は、後述する検知受信部２２１がセンサ２０３ａまたはセンサ２０３ｂからの検知信号を受信したか否かを判定し、後述する検知受信部２２１が受信して状態記憶部２１３に記憶した検知信号の値を読み取って、センサ２０３ａからの検知信号の受信の有無、およびセンサ２０３ｂからの検知信号の受信の有無を判定する。
【００４８】
具体的には、センサ判定部２２０は、状態記憶部２１３を参照して、上述した施錠忘れ監視タイマー２１５や施錠異常監視タイマー２１６やメッセージタイマー２１８が計時する経過時間が、各タイマーに記憶されている上述した各種の経過設定時間内にセンサ２０３ａからの施錠検知信号「Ｌ」およびセンサ２０３ｂからの閉検知信号「１」、またはセンサ２０３ａからの解錠検知信号「Ｒ」およびセンサ２０３ｂからの開検知信号「０」を受信しているか否かを判定する。
【００４９】
検知受信部２２１は、センサ２０３ａからの施錠検知信号または解錠検知信号、およびセンサ２０３ｂからの開検知信号または閉検知信号を受信したか否かを判定し、これらの各検知信号の値を状態記憶部２１３に書き込んで記憶させる。
【００５０】
ネットワーク２８０は、電話回線、無線ネットワーク、ＷＡＮ（Wide  Area  Network：広域通信網）、インターネットなどの通信回線である。
【００５１】
監視センタ２９０は、監視領域の異常を検知した警備装置１００からの通報を受け、待機中の警備員に対して異常が検知された監視領域へ向かう旨の指示を出すとともに、必要に応じて警察や消防など関係機関への通報を行うセンタである。
【００５２】
図２は、実施の形態１の警備装置１００およびセンサ２０３ａ、２０３ｂの監視領域内の配置図である。本実施の形態の警備装置１００は、家屋である監視領域内の玄関、リビング等の開閉口である扉や窓の開閉状態を監視するものであり、各センサは扉枠や窓枠、または開閉口付近に設置される。
【００５３】
続いて、以上のように構成された実施の形態１にかかる警備装置１００で実行される各処理について説明する。
【００５４】
図３は、実施の形態１において、監視領域の開閉口またはその付近に設置されたセンサ２０３ａ、２０３ｂからの検知信号を受信してから、家人に対して施錠状態、あるいは開閉状態が異常である旨の警告を放置するまでの処理手順を示すフローチャートである。以下の説明では、監視領域の開閉口である扉や窓またはその付近に設置されているロック装置の施錠状態は施錠されており、かつその扉や窓は閉まっている状態であるとして、各処理の手順について説明する。また、警備モード記憶部２１２に記憶されている警備モードは警備解除状態を示す警備モードが記憶されているものとする。すなわち、後述する各処理において、施錠忘れと判定された場合であっても、直ちに監視センタへの通報は行わないような警備モードとなっている。
【００５５】
まず、検知受信部２２１は、センサ２０３ａからの解錠検知信号（すなわち検知信号「Ｒ」）を受信したか否かを判定する（ステップＳ３０１）。そして、検知受信部２２１は、解錠検知信号を受信していないと判定した場合は（ステップＳ３０１；Ｎｏ）、そのまま待機し続け、一方、解錠検知信号を受信していると判定した場合は（ステップＳ３０１；Ｙｅｓ）、次のステップに進み、検知受信部２２１は、状態記憶部２１３にセンサ２０３ａからの解錠検知信号を受信した旨（すなわち、検知信号「Ｒ」）を書き込む（ステップＳ３０２）。
【００５６】
検知受信部２２１によって、解錠検知信号が状態記憶部２１３に書き込まれると、施錠忘れ監視タイマー２１５が起動し、その後センサ２０３ａからの施錠検知信号、またはセンサ２０３ｂからの開検知信号を受信するまでの時間を計時する（ステップＳ３０３）。
【００５７】
そして、検知受信部２２１は、センサ２０３ｂからの開検知信号を受信したか否かを判定し（ステップＳ３０４）、センサ２０３ｂからの開検知信号を受信したと判定した場合は（ステップＳ３０４；Ｙｅｓ）、状態記憶部２１３にセンサ２０３ｂからの開検知信号を受信した旨（すなわち、検知信号「０」）を書き込み、センサ判定手段２２０は、状態記憶部２１３に書き込まれた各センサの状態を読み取り、ロック装置が解錠され、かつ扉や窓等が開かれていると判断する（ステップＳ３０８）。
【００５８】
その後、施錠監視忘れタイマー２１５が停止し（ステップＳ３１０）、本実施の形態における処理が終了する。すなわち、センサ判定部２２０は、センサ２０３ａからの解錠検知信号「Ｒ」と、センサ２０３ｂからの開検知信号「０」を受信したことによって、扉や窓が開放されたため、ロック装置の施錠忘れではないと判定し、処理を終了させる。
【００５９】
一方、検知受信部２２１は、センサ２０３ｂからの開検知信号を受信していないと判定すると（ステップＳ３０４；Ｎｏ）、続いて、センサ２０３ａからの施錠検知信号を受信したか否かを判定する（ステップＳ３０５）。そして、センサ２０３ａからの施錠検知信号を受信したと判定すると（ステップＳ３０５；Ｙｅｓ）、状態記憶部２１３にセンサ２０３ａからの施錠検知信号を受信した旨（すなわち、施錠検知信号「Ｌ」）を書き込み、センサ判定手段２２０は、状態記憶部２１３に書き込まれた各センサの状態を読み取り、ロック装置が施錠され、かつ扉や窓等が閉じていると判断する（ステップＳ３０９）。
【００６０】
その後、施錠監視忘れタイマー２１５が停止し（ステップＳ３１０）、本実施の形態における処理が終了する。すなわち、センサ判定部２２０は、センサ２０３ａからの施錠検知信号「Ｌ」を受信したことによって、解錠状態となっているロック装置が施錠されたため、ロック装置の施錠忘れではないと判定し、処理を終了させる。
【００６１】
一方、検知受信部２２１は、センサ２０３ａからの施錠検知信号を受信していないと判定すると（ステップＳ３０５；Ｎｏ）、センサ判定部２２０は、施錠忘れ監視タイマー２１５が計時する時間が、忘れ経過設定時間を経過しているか否かを判定する（ステップＳ３０６）。そして、未だ忘れ経過設定時間を経過していないと判定した場合は（ステップＳ３０６；Ｎｏ）、ステップＳ３０４に戻り、ステップＳ３０４以降の各処理を繰り返す。
【００６２】
一方、センサ判定部２２０は、既に忘れ経過設定時間を経過していると判定した場合は（ステップＳ３０６；Ｙｅｓ）、図４に示す施錠忘れ処理（ステップＳ３０７）を行う。
【００６３】
図４は、図３に示す施錠忘れ処理の処理手順を示すフローチャートである。
【００６４】
ステップＳ３０６において、センサ判定部２２０が、既に忘れ経過設定時間を経過していると判定すると（ステップＳ３０６；Ｙｅｓ）、警告音声報知部２１９は、コントローラ２３０に備えられたスピーカ２３３から、施錠忘れである旨の警告メッセージを報知し（ステップＳ４０１）、警告音声報知部２１９は、コントローラ２３０の操作表示部２３１からのメッセージ停止操作の入力が受け付けられたか否かを判定する（ステップＳ４０２）。
【００６５】
そして、警告音声報知部２１９は、コントローラ２３０の操作表示部２３１からのメッセージ停止操作の入力が受け付けられていないと判定すると（ステップＳ４０２；Ｎｏ）、ステップＳ４０１に戻り、そのまま警告メッセージを報知し続ける。
【００６６】
一方、警告音声報知部２１９は、コントローラ２３０の操作表示部２３１からのメッセージ停止操作の入力が受け付けられたと判定すると（ステップＳ４０２；Ｙｅｓ）、報知されている警告メッセージを停止する（ステップＳ４０３）。そして、警告メッセージが停止すると、メッセージタイマー２１８が起動し、その後センサ２０３ａからの施錠検知信号、またはセンサ２０３ｂからの開検知信号を受信するまでの時間を計時する（ステップＳ４０４）。
【００６７】
続いて、検知受信部２２１は、センサ２０３ｂからの開検知信号を受信したか否かを判定し（ステップＳ４０５）、センサ２０３ｂからの開検知信号を受信したと判定した場合は（ステップＳ４０５；Ｙｅｓ）、状態記憶部２１３にセンサ２０３ｂからの開検知信号を受信した旨（すなわち、開検知信号「０」）を書き込み、センサ判定部２２０は、状態記憶部２１３に書き込まれた各センサの状態を読み取り、ロック装置が解錠され、かつ扉や窓等が開放されていると判断する（ステップＳ４０８）。
【００６８】
その後、メッセージタイマー２１８が停止し（ステップＳ４１０）、本実施の形態における処理が終了する。すなわち、センサ判定部２２０は、センサ２０３ａからの解錠検知信号「Ｒ」と、センサ２０３ｂからの開検知信号「０」を受信したことによって、家人が警告メッセージを停止して扉や窓を開放したため、ロック装置の施錠忘れではないと判定し、処理を終了させる。
【００６９】
一方、検知受信部２２１は、センサ２０３ｂからの開検知信号を受信していないと判定すると（ステップＳ４０５；Ｎｏ）、続いて、センサ２０３ａからの施錠検知信号を受信したか否かを判定する（ステップＳ４０６）。そして、センサ２０３ａからの施錠検知信号を受信したと判定すると（ステップＳ４０６；Ｙｅｓ）、状態記憶部２１３にセンサ２０３ａからの施錠検知信号を受信した旨（すなわち、検知信号「Ｌ」）を書き込み、センサ判定部２２０は、状態記憶部２１３に書き込まれた各センサの状態を読み取り、ロック装置が施錠され、かつ扉や窓等が閉められていると判断する（ステップＳ４０９）。
【００７０】
その後、メッセージタイマー２１８が停止し（ステップＳ４１０）、本実施の形態における処理が終了する。すなわち、センサ判定部２２０は、センサ２０３ａからの施錠検知信号「Ｌ」を受信したことによって、家人が警告メッセージを停止して解錠状態となっているロック装置を施錠したため、ロック装置の施錠忘れではないと判定し、処理を終了させる。
【００７１】
一方、検知受信部２２１は、センサ２０３ａからの施錠検知信号を受信していないと判定すると（ステップＳ４０６；Ｎｏ）、センサ判定部２２０は、メッセージタイマー２１８が計時する時間が、警告経過設定時間を経過しているか否かを判定する（ステップＳ４０７）。そして、未だ警告経過設定時間を経過していないと判定した場合は（ステップＳ４０７；Ｎｏ）、ステップＳ４０５に戻り、ステップＳ４０５以降の各処理を繰り返す。
【００７２】
一方、センサ判定部２２０は、既に警告経過設定時間を経過していると判定した場合は（ステップＳ４０７；Ｙｅｓ）、ステップＳ４０１に戻り、再びスピーカ２３３から警告メッセージを報知し、ステップＳ４０２以降の各処理を行う。このように、ステップＳ３１０またはステップＳ４１０のいずれかの処理が終了すると、本実施の形態における処理が終了する。
【００７３】
上述したステップＳ３０１〜ステップＳ４１０までの各処理は、監視領域の開閉口である扉や窓またはその付近に設置されているロック装置の施錠状態は施錠されており、かつその扉や窓は閉まっている状態であった場合におけるものであったが、ロック装置の状態が解錠されており、かつその扉や窓が開いている状態である場合においても施錠忘れではないものの、正しく施錠されていない場合（すなわち、施錠異常の場合）等も存在する。そこで、図５において、そのような場合における各処理の手順について説明する。
【００７４】
まず、検知受信部２２１は、検知受信部２２１がセンサ２０３ｂからの閉検知信号「１」を受信したか否かを判定する（ステップＳ５０１）。検知受信部２２１は、センサ２０３ｂからの閉検知信号を受信していると判定した場合は（ステップＳ５０１；Ｙｅｓ）、次のステップに進み、状態記憶部２１３にセンサ２０３ｂからの閉検知信号を受信した旨（すなわち、検知信号「１」）を書き込む（ステップＳ５１０）。
【００７５】
検知受信部２２１によって、閉検知信号が状態記憶部２１３に書き込まれると、施錠忘れ監視タイマー２１５が起動し、その後センサ２０３ａからの施錠検知信号、またはセンサ２０３ｂからの開検知信号を受信するまでの時間を計時する（ステップＳ５１１）。このときの状態記憶部２１３に記憶されたセンサ２０３ａ、センサ２０３ｂからの検知信号の状態は、図３におけるステップＳ３０３の場合と同じである。すなわち、扉や窓は閉じされた状態であるが、ロック装置だけが解錠されている状態である。したがって、このステップＳ５１１以降の各処理（ステップＳ５１１〜Ｓ５１８）はステップＳ３０３〜Ｓ３１０の各処理と同様の処理を行うため、ここではその説明を省略する。
【００７６】
一方、検知受信部２２１は、センサ２０３ｂからの閉検知信号を受信していないと判定した場合は（ステップＳ５０１；Ｎｏ）、続いて、センサ２０３ａからの施錠検知信号を受信したか否かを判定する（ステップＳ５０２）。そして、センサ２０３ａからの施錠検知信号を受信していないと判定すると（ステップＳ５０２；Ｎｏ）、ステップＳ５０１に戻り、センサ２０３ｂからの閉検知信号を受信しているか否かを判定する。
【００７７】
一方、センサ２０３ａからの施錠検知信号を受信していると判定すると（ステップＳ５０２；Ｙｅｓ）、検知受信部２２１は、状態記憶部２１３にセンサ２０３ａからの施錠検知信号を受信した旨（すなわち、検知信号「Ｌ」）を書き込む（ステップＳ５０３）。
【００７８】
検知受信部２２１によって、施錠検知信号が状態記憶部２１３に書き込まれると、施錠異常監視タイマー２１６が起動し、その後センサ２０３ａからの解錠検知信号を受信するまでの時間を計時する（ステップＳ５０４）。
【００７９】
続いて、検知受信部２２１は、センサ２０３ａからの解錠検知信号を受信したか否かを判定する（ステップＳ５０５）。そして、センサ２０３ａからの解錠検知信号を受信したと判定すると（ステップＳ５０５；Ｙｅｓ）、状態記憶部２１３にセンサ２０３ａからの解錠検知信号を受信した旨（すなわち、検知信号「Ｒ」）を書き込み、センサ判定部２２０は、状態記憶部２１３に書き込まれた各センサの状態を読み取り、ロック装置が解錠されたと判断する（ステップＳ５０８）。
【００８０】
その後、施錠異常監視タイマー２１６が停止し（ステップＳ５０９）、本実施の形態における処理が終了する。すなわち、センサ判定部２２０は、センサ２０３ａからの施錠検知信号「Ｒ」を受信したことによって、施錠状態となっているロック装置が解錠されたため、ロック装置の施錠異常ではないと判定し、処理を終了させる。
【００８１】
一方、検知受信部２２１は、センサ２０３ａからの解錠検知信号を受信していないと判定すると（ステップＳ５０５；Ｎｏ）、センサ判定部２２０は、施錠異常監視タイマー２１６が計時する時間が、異常経過設定時間を経過しているか否かを判定する（ステップＳ５０６）。そして、未だ異常経過設定時間を経過していないと判定した場合は（ステップＳ５０６；Ｎｏ）、ステップＳ５０５に戻り、センサ２０３ａからの解錠検知信号を受信しているか否かを判定する。
【００８２】
一方、センサ判定部２２０は、既に異常経過設定時間を経過していると判定した場合は（ステップＳ５０６；Ｙｅｓ）、図６に示す施錠異常処理（ステップＳ５０７）を行う。
【００８３】
図６は、図５に示す施錠異常処理の処理手順を示すフローチャートである。
【００８４】
ステップＳ５０７において、センサ判定部２２０が、既に異常経過設定時間を経過していると判定すると（ステップＳ５０７；Ｙｅｓ）、警告音声報知部２１９は、コントローラ２３０に備えられたスピーカ２３３から、施錠異常である旨の警告メッセージを報知し（ステップＳ６０１）、警告音声報知部２１９は、コントローラ２３０の操作表示部２３１からのメッセージ停止操作の入力が受け付けられたか否かを判定する（ステップＳ６０２）。
【００８５】
そして、警告音声報知部２１９は、コントローラ２３０の操作表示部２３１からのメッセージ停止操作の入力が受け付けられていないと判定すると（ステップＳ６０２；Ｎｏ）、ステップＳ６０１に戻り、施錠異常である旨の警告メッセージをそのまま報知し続ける。
【００８６】
一方、警告音声報知部２１９は、コントローラ２３０の操作表示部２３１からのメッセージ停止操作の入力が受け付けられたと判定すると（ステップＳ６０２；Ｙｅｓ）、報知されている警告メッセージを停止する（ステップＳ６０３）。そして、警告メッセージが停止すると、メッセージタイマー２１８が起動し、その後センサ２０３ａからの解錠検知信号を受信するまでの時間を計時する（ステップＳ６０４）。
【００８７】
続いて、検知受信部２２１は、センサ２０３ａからの解錠検知信号を受信したか否かを判定し（ステップＳ６０５）、センサ２０３ａからの解錠検知信号を受信したと判定した場合は（ステップＳ６０５；Ｙｅｓ）、状態記憶部２１３にセンサ２０３ａからの解錠検知信号を受信した旨（すなわち、検知信号「Ｒ」）を書き込み、センサ判定部２２０は、状態記憶部２１３に書き込まれた各センサの状態を読み取り、ロック装置が解錠されたと判断する（ステップＳ６０７）。
【００８８】
その後、メッセージタイマー２１８が停止し（ステップＳ６０８）、本実施の形態における処理が終了する。すなわち、センサ判定部２２０は、センサ２０３ａからの解錠検知信号「Ｒ」を受信したことによって、家人が施錠が異常である旨の警告メッセージを停止して扉や窓を開放したため、ロック装置の施錠異常ではないと判定し、処理を終了させる。
【００８９】
一方、検知受信部２２１は、センサ２０３ａからの解錠検知信号を受信していないと判定すると（ステップＳ６０５；Ｎｏ）、続いて、センサ判定部２２０は、メッセージタイマー２１８が計時する時間が、警告経過設定時間を経過しているか否かを判定する（ステップＳ６０６）。そして、未だ警告経過設定時間を経過していないと判定した場合は（ステップＳ６０６；Ｎｏ）、ステップＳ６０５に戻り、検知受信部２２１は、センサ２０３ａからの解錠検知信号を受信しているか否かを判定する。
【００９０】
一方、センサ判定部２２０は、既に警告経過設定時間を経過していると判定した場合は（ステップＳ６０６；Ｙｅｓ）、ステップＳ６０１に戻り、再びスピーカ２３３から警告メッセージを報知し、ステップＳ６０２以降の各処理を行う。このように、ステップＳ５１８、ステップＳ５０９、ステップＳ６０８、または図３に示すステップＳ３１０、図４に示すステップＳ４１０のいずれかの処理が終了すると、本実施の形態における処理が終了する。
【００９１】
このように、本実施の形態においては、検知受信部２２１が、開閉口の施錠状態を検知するセンサ２０３ａまたは開閉口の開閉状態を検知するセンサ２０３ｂから検知信号を受信し、センサ判定部２２０が、検知受信部２２１が受信したセンサ２０３ａからの検知信号またはセンサ２０３ｂからの検知信号に基づいて、開閉口の施錠状態および開閉口の開閉状態を判定し、警告報知部２１９が、センサ判定部２２０が開閉口が解錠状態かつ閉状態、または開閉口が施錠状態かつ開状態であると判定した場合に、監視領域に警告を報知するので、開閉口の開閉状態および開閉口の施錠状態のいずれかに異常が生じている場合にも、家人は開閉口の状態の異常を詳しくかつ迅速に把握でき、警備の質を向上させることができる。
【００９２】
また、本実施の形態においては、施錠忘れ監視タイマー２１５または施錠異常監視タイマー２１６が、検知受信部２２１がセンサ２０３ａまたはセンサ２０３ｂからの検知信号を受信した時点からの時間を計時し、警告報知部２１９は、センサ判定部２２０が、開閉口が解錠状態かつ閉状態、または開閉口が施錠状態かつ開状態であると判定した場合であって、計時する時間が忘れ経過設定時間または異常経過設定時間を経過した場合に、監視領域に警告を報知するので、開閉口の開閉状態および開閉口の施錠状態のいずれかに異常が生じている場合にも、家人は開閉口の状態の異常をより詳しくかつ迅速に把握でき、警備の質をさらに向上させることができる。
【００９３】
また、本実施の形態においては、警告報知部２１９は、センサ判定部２２０が開閉口が解錠状態かつ閉状態であると判定した場合には、開閉口に施錠がなされていない旨の警告を報知し、センサ判定部２２０が開閉口が施錠状態かつ開状態であると判定した場合には、開閉口の施錠が異常である旨の警告を報知するので、開閉口の開閉状態および開閉口の施錠状態に応じて開閉口の異常を報知できるので、家人はその異常を容易に認識できる。
【００９４】
また、本実施の形態においては、操作表示部２３１が、警告報知手段が促した警告を停止する操作を受け付け、メッセージタイマー２１８が、操作表示部２３１が警告を停止する操作を受け付けた時点からの時間を計時し、警告報知部２１９は、操作表示部２３１が警告を停止する操作を受け付けた場合であっても、計時する時間が警告経過設定時間を経過した場合には、監視領域に警告を報知するので、家人が施錠忘れや施錠異常への対応を行わなかった場合であっても、開閉口の開閉状態および開閉口の施錠状態に応じて開閉口の異常を報知でき、家人はその異常への対応を忘れずに行うことができる。
【００９５】
（実施の形態２）
上述した実施の形態１では、警備モードが警備解除状態である場合に、監視領域の開閉口の施錠状態や開閉状態を検知することによって、施錠忘れ等の開閉口の異常を家人が容易に確認できるようにした。しかし、そのような施錠忘れ等の開閉口の異常は、例えば、家人が外出している場合においても、監視領域の開閉口の異常を検知して、監視センタに通報する等の処置を施すことによって、不審者の侵入を防ぐ必要がある場合も存在する。そこで、警備モードが警備状態である場合の、監視領域の開閉口の施錠状態や開閉状態を検知する場合について説明する。
【００９６】
図７は、実施の形態２にかかる警備装置５００の構成を示すブロック図である。実施の形態２における警備装置５００は、警備装置の本体部５１０が、実施の形態１における異常通報部２１７とは異なる異常通報部５３０を備えている点で、実施の形態１における本体部２１０と異なっている。以下の説明では、上述した実施の形態１と同一の構成要素には同一の符号を付してその説明を省略している。
【００９７】
異常通報部５３０は、警備モード記憶部２１２に記憶されている警備モードが、警備状態であるか、または警備解除状態であるかを判定する。さらに、異常通報部５３０は、警備モードが警備状態であると判定した場合であって、センサ判定部２２０がセンサ２０３ａからの解錠検知信号「Ｒ」を検知したと判定した場合には、「監視領域において施錠忘れの異常があります。」等のような施錠忘れの通報を監視センタ２９０に通報する。
【００９８】
また、異常通報部５３０は、異常通報部５３０は、警備モードが警備状態であると判定した場合であって、センサ判定部２２０がセンサ２０３ｂからの開検知信号「０」を検知したと判定した場合には、「監視領域において施錠状態が異常です。」等のような施錠異常を示す通報を監視センタ２９０に通報する。
【００９９】
図８は、警備装置５００が行う処理手順を示すフローチャートである。図８に示す各処理では、あらかじめ警備モード記憶部２１２には警備状態を示す警備モードが記憶されているものとする。
【０１００】
まず、異常通報部５３０は、警備モード記憶部２１２に記憶されている警備モードが警備状態であるか否かを判定する（ステップＳ８０１）。そして、警備モードが警備状態でないと判定した場合（すなわち、警備解除状態と判定した場合）には（ステップＳ８０１；Ｎｏ）、図３に示すステップＳ３０１以降の各処理または図５に示すステップＳ５０１以降の各処理を行う。ここでは、警備モード記憶部２１２には、警備モードとして警備状態が記憶されているので、以下の処理に進む。
【０１０１】
一方、異常通報部５３０は、警備モードが警備状態であると判定した場合（ステップＳ８０１；Ｙｅｓ）、検知受信部２２１は、センサ２０３ａからの解錠検知信号を検知したか否かを判定する（ステップＳ８０２）。
【０１０２】
そして、センサ２０３ａからの解錠検知信号を検知したと判定した場合（ステップＳ８０２；Ｙｅｓ）、異常通報部５３０は、監視センタ２９０に監視領域において施錠忘れがある旨の通報を行う（ステップＳ８０３）。
【０１０３】
一方、センサ２０３ａからの解錠検知信号を検知していないと判定した場合（ステップＳ８０２；Ｎｏ）、検知受信部２２１は、さらにセンサ２０３ｂからの開検知信号を検知したか否かを判定する（ステップＳ８０４）。そして、センサ２０３ｂからの開検知信号を検知したと判定した場合（ステップＳ８０４；Ｙｅｓ）、異常通報部５３０は、監視センタ２９０に監視領域において施錠異常がある旨の通報を行う（ステップＳ８０５）。一方、検知受信部２２１が、センサ２０３ｂからの開検知信号を検知していないと判定した場合（ステップＳ８０４；Ｎｏ）、何もせずに処理を終了する。このステップＳ８０３、またはステップＳ８０５のいずれかの処理が終了すると本実施の形態における処理が終了する。
【０１０４】
このように、本実施の形態においては、警備モード切替部２１４が、監視領域における警備を可能にして監視センタに通報する状態を示す警備状態と、監視区域の警備を解除して監視センタに通報しない状態を示す警備解除状態と、を含む監視領域の警備モードの切り替えを行い、異常通報部５３０が、現在の警備モードが警備状態であり、かつセンサ判定部２２０が開閉口が解錠状態または開閉口が開状態のいずれかであると判定した場合に、監視センタに警報を送信するので、警備モードが警備状態の場合に開閉口の開閉状態および開閉口の施錠状態のいずれかに異常が生じている場合にも、その異常が侵入者によるものであるとして監視センタに対して迅速に通報でき、警備の質を向上させることができる。
【０１０５】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【図面の簡単な説明】
【０１０６】
【図１】実施の形態１の警備装置の機能的構成を示すブロック図である。
【図２】実施の形態１の警備装置およびセンサの監視領域内の配置図である。
【図３】実施の形態１においてセンサからの検知信号を受信してから施錠忘れ処理を行うまでの手順を示すフローチャートである。
【図４】図３に示す施錠忘れ処理の手順を示すフローチャートである。
【図５】実施の形態１においてセンサからの検知信号を受信してから施錠異常処理を行うまでの手順を示すフローチャートである。
【図６】図５に示す施錠異常処理の手順を示すフローチャートである。
【図７】実施の形態２の警備装置の機能的構成を示すブロック図である。
【図８】実施の形態２の場合においてセンサからの検知信号を受信してから監視センタに異常を通報するまでの手順を示すフローチャートである。
【符号の説明】
【０１０７】
１００  ５００  警備装置
２０６  通信制御部
２１０  ５１０  本体部
２１１  入出力制御部
２１２  警備モード記憶部
２１３  状態記憶部
２１４  警備モード切替部
２１５  施錠忘れ監視タイマー
２１６  施錠異常監視タイマー
２１７  ５３０  異常通報部
２１８  メッセージタイマー
２１９  警告音声報知部
２２０  センサ判定部
２２１  検知受信部
２３０  コントローラ、サブコントローラ
２３１  操作表示部
２３２  マイク
２３３  スピーカ
２８０  ネットワーク
２９０  監視センタ
【図１】
2009163396.tif 000003
【図２】
2009163396.tif 000004
【図３】
2009163396.tif 000005
【図４】
2009163396.tif 000006
【図５】
2009163396.tif 000007
【図６】
2009163396.tif 000008
【図７】
2009163396.tif 000009
【図８】
2009163396.tif 000010